(57)【要約】【課題】Ｕ字排出方式の給排紙装置において、小型化し、かつ、自己の単票用紙後端の引き込みによる単票用紙の巻き込みを防止した給排紙装置を提供することを目的とする。【解決手段】単票用紙Ｐ0を保持する給紙保持部と、給紙保持部の手前に配設され排出される単票用紙Ｐ1を保持する排紙保持部５と、排紙保持部５に向かって単票用紙Ｐ1を排出する排紙機構４とを有する給排紙装置１において、排紙機構４と給紙保持部との間に、排紙機構４により排出される単票用紙Ｐ1の排出方向と垂直な方向に所定間隔で配設されたリブ部材５２ａと、複数のリブ部材５２ａと互い違いの位置で排紙機構４により排出される単票用紙Ｐ1を押さえる金属部材５３とを備える。【選択図】図２
2005200116.tif 000002
【特許請求の範囲】
【請求項１】
単票用紙を保持する給紙保持部と、同給紙保持部の手前に配設され排出される単票用紙を保持する排紙保持部と、同排紙保持部に向かって単票用紙を排出する排紙機構とを有する給排紙装置において、前記排紙機構と給紙保持部との間に、前記排紙機構により排出される単票用紙の排出方向と垂直な方向に所定間隔で配設された複数のリブ部材と、同複数のリブ部材と互い違いの位置で前記排紙機構により排出される単票用紙を押さえる用紙押さえ部材とを備えた給排紙装置。
【請求項２】
前記用紙押さえ部材は、自重により前記単票用紙を押さえるものである請求項１記載の給排紙装置。
【請求項３】
前記リブ部材は、前記排紙機構により排出される単票用紙の両端部より内側に備え、前記用紙押さえ部材は、前記複数のリブ部材の間で前記排紙機構により排出される単票用紙を押さえるものとした請求項１または２に記載の給排紙装置。
【請求項４】
前記リブ部材と前記用紙押さえ部材との間の距離を２０ｍｍ以上かつ前記単票用紙の排出方向と垂直な方向の幅の４分の１以下とした請求項３記載の給排紙装置。
【発明の詳細な説明】
【技術分野】
【０００１】
本発明は、カット紙等の単票用紙を自動的に給排紙する給排紙装置に関する。
【背景技術】
【０００２】
従来、プリンタやファクシミリ等の印字装置は、連続印字を可能にするため、単票用紙を１枚ずつ自動的に給排紙する給排紙装置を備える。また、近年においては、印字装置設置の省スペース化を図るため、その給排紙装置は、印字後の単票用紙をその供給元に向かってＵ字状に排出する方式が主流である（例えば、特許文献１を参照。）。
【０００３】
図６は従来の給排紙装置の縦断面図である。図６において給排紙装置は、単票用紙Ｐ0を保持する給紙保持部２と、給紙保持部２から供給される単票用紙Ｐ0に印字を行う印字部１１と、給紙保持部２で保持される単票用紙Ｐ0を押さえる押さえカバー１０１と、給紙保持部２の手前に配設され排出される単票用紙Ｐ1を保持する排紙保持部５と、印字後の単票用紙Ｐ1を排紙保持部５に向かってＵ字状に排出する排紙機構４とを有する。
【０００４】
また、近来においては、印字装置全体のさらなる小型化を目指して、図７に示すように押さえカバー１０２を小型化する傾向にある。ところが、押さえカバー１０２を小型化すると、排紙機構４から排紙保持部５に向かって排出される単票用紙Ｐ1の先端が、排紙保持部５の背後の給紙保持部２に到達し、給紙保持部２から印字部１１に供給される自己の単票用紙Ｐ1の後端の引き込みにより、再度印字部１１側に引きずり込まれ、巻き込まれるという不具合が生じる。
【特許文献１】特許第２８６７７１４号公報
【発明の開示】
【発明が解決しようとする課題】
【０００５】
このような不具合を解消するため、従来の給排紙装置は、押さえカバー１０１を印字部１１に供給される自己の単票用紙Ｐ1の後端が隠れる高さに設定する必要があり、装置全体の小型化の障害となっている。また、（特許文献１）に記載の給排紙装置においては、上記不具合を解消するために、給紙保持部の前面に上下に渡って大きな紙幅規制板を配設し、給紙経路と排紙経路とを分離しているが、このような大きな紙幅規制板を設けることは装置全体の小型化の障害となる。
【０００６】
そこで、本発明では、小型化され、かつ、単票用紙の巻き込みを防止した給排紙装置を提供することを目的とする。
【課題を解決するための手段】
【０００７】
上記課題を解決するため、本発明は、単票用紙を保持する給紙保持部と、給紙保持部の手前に配設され排出される単票用紙を保持する排紙保持部と、排紙保持部に向かって単票用紙を排出する排紙機構とを有する給排紙装置において、排紙機構と給紙保持部との間に、排紙機構により排出される単票用紙の排出方向と垂直な方向に所定間隔で配設されたリブ部材と、複数のリブ部材と互い違いの位置で排紙機構により排出される単票用紙を押さえる用紙押さえ部材とを備えたものである。
【発明の効果】
【０００８】
本発明によれば、小型化され、かつ、単票用紙の巻き込みを防止した給排紙装置が得られる。
【発明を実施するための最良の形態】
【０００９】
本発明の請求項１の発明は、単票用紙を保持する給紙保持部と、給紙保持部の手前に配設され排出される単票用紙を保持する排紙保持部と、排紙保持部に向かって単票用紙を排出する排紙機構とを有する給排紙装置において、排紙機構と給紙保持部との間に、排紙機構により排出される単票用紙の排出方向と垂直な方向に所定間隔で配設された複数のリブ部材と、複数のリブ部材と互い違いの位置で排紙機構により排出される単票用紙を押さえる用紙押さえ部材とを備えたことを特徴とする給排紙装置としたものであり、排紙機構により排出される単票用紙を複数のリブ部材および用紙押さえ部材により互い違いの位置で押さえることで、単票用紙が排出方向と垂直な方向に湾曲し、排出方向には曲がりにくくなる。これにより、排紙機構により排出される単票用紙の先端が、排紙保持部の背後の給紙保持部に到達しても、この給紙保持部から印字部に供給される自己の単票用紙の後端の引き込みに対して湾曲せず、印字部に引きずり込まれることがない。したがって、小型化しつつ自己の単票用紙後端の引き込みによる単票用紙の巻き込みを防止した給排紙装置およびこれを用いた印字装置が得られる。
【００１０】
本発明の請求項２の発明は、用紙押さえ部材は、自重により単票用紙を押さえるものである給排紙装置としたものであり、自重により単票用紙を押さえることにより単票用紙の巻き込みを防止することができるとともに、単票用紙の排出後は、次に排出される単票用紙によって押し上げられるため、この単票用紙の排出の妨げになることがない。
【００１１】
本発明の請求項３の発明は、リブ部材は、排紙機構により排出される単票用紙の両端部より内側に備え、用紙押さえ部材は、複数のリブ部材の間で排紙機構により排出される単票用紙を押さえるものとした給排紙装置であり、排紙機構により排出される単票用紙が排出方向と垂直な方向に凹状に湾曲し、すなわち最も引き込まれやすい単票用紙の先端の両端が上方に向かって湾曲するため、単票用紙の巻き込みをさらに防止することが可能となる。
【００１２】
本発明の請求項４の発明は、リブ部材と用紙押さえ部材との間の距離を２０ｍｍ以上かつ前記単票用紙の排出方向と垂直な方向の幅の４分の１以下とした給排紙装置である。リブ部材と用紙押さえ部材との間の距離は、上記範囲内で離れているほど効率良く単票用紙を排出方向と垂直な方向に湾曲させることができる。リブ部材と用紙押さえ部材との間の距離を２０ｍｍ未満とした場合には、厚紙などの曲がりにくい単票用紙の場合に引き込みを防止するのに十分な曲率の湾曲が得られない。また、単票用紙の排出方向と垂直な方向の幅の４分の１を超えた場合、単票用紙の両端から用紙押さえ部材までの距離が大きくなりすぎ、単票用紙の先端の両角の湾曲の曲率が小さくなり、引き込みを防止するだけの十分な湾曲が得られなくなる。
【００１３】
以下、本発明の実施の形態について、図面を参照して説明する。
【００１４】
（実施の形態１）
図１は本発明の実施の形態における給排紙装置の外観を示す斜視図、図２は図１の給排紙装置を搭載した印字装置の主要部を示す縦断面図、図３は図２のＡ矢視図、図４は排出した単票用紙をスタックした状態の印字装置の主要部を示す一部拡大縦断面図である。
【００１５】
図１および図２に示すように、本発明の実施の形態における給排紙装置１は、プリンタやファクシミリ等の印字装置の印字部１１に対する給排紙を行うものであって、複数枚の単票用紙Ｐ0を保持する給紙保持部２と、給紙保持部２から単票用紙を１枚ずつ供給する給紙機構３と、印字後の単票用紙Ｐ1を排出する排紙機構４と、給紙保持部２の手前に配設され排紙機構４により排出される単票用紙Ｐ1を保持する排紙保持部５とを有する。
【００１６】
給紙保持部２は、単票用紙Ｐ0を載置する給紙トレイ２１と、単票用紙Ｐ0の給紙方向Ｔと垂直な方向の両端部に配置された給紙ガイド２２ａ，２２ｂと、給紙トレイ２１上の単票用紙Ｐ0の下部を押さえる押さえカバー２３とを備える。押さえカバー２３は、図４に示すように、その下端を支点として開閉可能であり、給紙トレイ２１へ単票用紙Ｐ0を補給する際に開閉する。
【００１７】
給紙機構３は、印字装置１の印字部１１へ単票用紙Ｐ0を導く供給路３１と、給紙トレイ２１上の単票用紙Ｐ0を１枚ずつ供給路３１を介して印字部１１へ送り出す供給ローラ３２とを備える。
【００１８】
排紙機構４は、印字部１１による印字後の単票用紙Ｐ1を排紙保持部５へ導く排出路４１と、印字部１１による印字後の単票用紙Ｐ1を排紙保持部５へ送り出す排紙ローラ４２，４３とを備える。排出路４１の出口は、排紙保持部５および給紙保持部２に向かって開口しており、給紙保持部２から供給される単票用紙Ｐ0は、供給路３１および排出路４１からなるＵ字状の経路を通って、この排出路４１の出口から給紙保持部２に向かって排出される。
【００１９】
排紙保持部５は、排紙機構４により排出路４１から排出される単票用紙Ｐ1を保持するスタッカ５１と、排紙機構４と給紙保持部２との間で単票用紙Ｐ1を支持するリブ部材５２ａ，５２ｂと、リブ部材５２ａ，５２ｂと互い違いの位置で単票用紙Ｐ1を押さえる用紙押さえ部材としての金属部材５３とを備える。
【００２０】
リブ部材５２ａ，５２ｂは、排紙機構４により排出される単票用紙Ｐ1の排出方向Ｄと垂直な方向であって、単票用紙Ｐ1の両端部よりそれぞれ２５ｍｍ（図３のｂ寸法）内側に所定間隔で配設されている。リブ部材５２ａ，５２ｂは、排紙保持部５の上部下側、すなわち排出路４１から排出される単票用紙Ｐ1の下側に固定されている。
【００２１】
金属部材５３は、これらのリブ部材５２ａ，５２ｂの間であってリブ部材５２ａ，５２ｂと２０ｍｍ（図３のｃ寸法）の間隔を空けた位置で単票用紙Ｐ1と当接する排出方向Ｄの押さえ桿部５４ａ，５４ｂと、左右の押さえ桿部５４ａ，５４ｂを連結する連結桿部５５と、左右の押さえ桿部５４ａ，５４ｂを支持する支持軸部５６ａ，５６ｂとからなる。
【００２２】
金属部材５３は、例えば、φ２ｍｍのステンレス鋼とし、その自重により単票用紙Ｐ1を押さえるものとする。図４に示すように、支持軸部５６ａ，５６ｂは、排紙保持部５の上部上側、すなわち排出路４１から排出される単票用紙Ｐ1よりも上方に回動可能に支持されている。また、連結桿部５５は、左右の押さえ桿部５４ａ，５４ｂの端からこの押さえ桿部５４ａ，５４ｂの上方へ折り返す位置に設けており、給紙トレイ２１へ単票用紙Ｐ0を補給する際に行う押さえカバー２１の開閉操作にこの連結幹部５５が干渉しないよう金属部材５３を回動させることができる。
【００２３】
上記構成の給排紙装置１によれば、排紙機構４により排出される単票用紙Ｐ1は、金属部材５３の自重により複数のリブ部材５２ａ，５２ｂとの互い違いの位置関係において押さえられる。これにより、単票用紙Ｐ1は、図３に示すように排出方向Ｄと垂直な方向に凹状に湾曲し、排出方向Ｄには曲がりにくくなる。したがって、排紙機構４により排出される単票用紙Ｐ1の先端が、排紙保持部５の背後の給紙保持部２に到達しても、この給紙保持部２から印字部１１に供給される自己の単票用紙Ｐ1の後端の引き込みに対して湾曲せず、印字部１１に引きずり込まれることがない。
【００２４】
これにより、自己の単票用紙Ｐ1の後端の引き込みによる単票用紙Ｐ1の巻き込みが防止される。また、このように排紙機構４により排出される単票用紙Ｐ1の先端が、排紙保持
部５の背後の給紙保持部２に到達しても、引き込まれることがないため、押さえカバー２３を給紙トレイ２１上の単票用紙Ｐ0の下部を押さえることができる限り小さく形成することができ、給排紙装置１を小型化することができる。
【００２５】
また、金属部材５３が、自重により単票用紙Ｐ1を押さえるものであるため、単票用紙Ｐ1の排出後は、次に排出される単票用紙Ｐ1によって上方に押し上げられるため、この単票用紙Ｐ1の排出の妨げになることがない。
【００２６】
次に、リブ部材５２ａ，５２ｂと金属部材５３との位置関係について説明する。図５はリブ部材５２ａ，５２ｂと金属部材５３との配置例を示している。図５（ａ）に示す例では、前述のように、リブ部材５２ａ，５２ｂとｃ＝２０ｍｍの間隔を空けた位置に金属部材５３の押さえ桿部５４ａ，５４ｂが配置されるようにしているが、このｃ寸法の範囲を変えることも可能である。
【００２７】
ｃ寸法は、リブ部材５２ａ，５２ｂと金属部材５３との間の距離で２０ｍｍ以上かつ単票用紙Ｐ1の排出方向Ｄと垂直な方向の幅（図５のＬ寸法×２）の４分の１以下の範囲で変えることができる。この範囲内であれば、リブ部材５２ａ，５２ｂと金属部材５３とが離れているほど効率良く単票用紙Ｐ1を湾曲させることができる。
【００２８】
なお、図５（ｂ）に示すように、リブ部材５２ａ，５２ｂと金属部材５３との間の距離を２０ｍｍ未満とした場合には、厚紙などの曲がりにくい単票用紙Ｐ2の場合に引き込みを防止するのに十分な曲率θの湾曲が得られない。また、図５（ｃ）に示すように、単票用紙Ｐ1の排出方向と垂直な方向の幅の４分の１を超えた場合、単票用紙Ｐ1の両端から金属部材５３までの距離ｄが大きくなりすぎ、単票用紙Ｐ1の先端の両角の湾曲の曲率が小さくなり、引き込みを防止するだけの十分な湾曲が得られなくなる。
【実施例１】
【００２９】
本実施例における給排紙装置１による引き込み防止効果について検証した。なお、本実施例において想定した単票用紙は、熱転写方式のファクシミリで一般に使用されるカット紙坪量６０〜９０ｇ／ｍ2のものである。
【００３０】
このような単票用紙を金属部材５３の自重により引き込み防止のために必要な荷重Ｗは、リブ部材５２ａ，５２ｂの突端位置で０．０５Ｎであった。荷重Ｗは、排出およびスタック性能に支障がなければ大きいほど効果的であるが、コスト面および高湿度環境下においては、湿度に影響されやすい用紙の場合、荷重Ｗに負けて折れる場合があった。
【００３１】
上記実施例において説明したリブ部材５２ａ，５２ｂと金属部材５３との位置関係（リブ部材５２ａ，５２ｂと金属部材５３との間の距離で２０ｍｍ以上かつ単票用紙Ｐ1の排出方向Ｄと垂直な方向の幅（図５のＬ寸法×２）の４分の１以下の範囲）は、このような不具合が全く生じない条件であった。
【産業上の利用可能性】
【００３２】
本発明の給排紙装置は、単票用紙を自動的に給排紙する装置として有用であり、特にプリンタやファクシミリ等の印字装置の給排紙装置として好適である。
【図面の簡単な説明】
【００３３】
【図１】本発明の実施の形態における給排紙装置の外観を示す斜視図
【図２】図１の給排紙装置を搭載した印字装置の主要部を示す縦断面図
【図３】図２のＡ矢視図
【図４】排出した単票用紙をスタックした状態の印字装置の主要部を示す一部拡大縦断面図
【図５】リブ部材と金属部材との配置例を示す図
【図６】従来の給排紙装置の縦断面図
【図７】小型化を目指した従来の給排紙装置の一部拡大縦断面図
【符号の説明】
【００３４】
１    給排紙装置
２    給紙保持部
３    給紙機構
４    排紙機構
５    排紙保持部
１１    印字部
２１    給紙トレイ
２２ａ，２２ｂ    給紙ガイド
２３    押さえカバー
３１    供給路
３２    供給ローラ
４１    排紙路
４２，４３    排紙ローラ
５１    スタッカ
５２ａ，５２ｂ    リブ部材
５３    金属部材
５４ａ，５４ｂ    押さえ桿部
５５    連結桿部
５６ａ，５６ｂ    支持軸部
Ｐ0，Ｐ1，Ｐ2    単票用紙
【図１】
2005200116.tif 000003
【図２】
2005200116.tif 000004
【図３】
2005200116.tif 000005
【図４】
2005200116.tif 000006
【図５】
2005200116.tif 000007
【図６】
2005200116.tif 000008
【図７】
2005200116.tif 000009